(57)【要約】  本発明は、距離を決定するためのシステムであって、パルスのシーケンスで物体に向けてレーザ光の離散スポットのパターンを投射するための光源と、パルスのシーケンスと同期して、物体により反射させられるようなパターンを表す光を検出するための、ピクチャ要素を備える検出器と、前記ピクチャ要素により生成される露出値の関数として、物体までの距離を算出するための処理手段とを備える、システムに関わるものである。ピクチャ要素は、第１の時間ウィンドウの間に反射させられる光の第１の量を表す第１の量の電荷と、第２の時間ウィンドウの間に反射させられる光の第２の量を表す第２の電荷とを蓄積することにより、露出値を生成する。システムは、各々が、前記第１の時間ウィンドウ、及び、前記第２の時間ウィンドウの異なる持続時間で動作させられる、パルスの、少なくとも２つの連続したシーケンスに対して、投射する、及び、検出する。
2019529958.tif 000002
【特許請求の範囲】
【請求項１】
物体までの距離を決定するためのシステム（２００）であって、
−  パルスのシーケンスで前記物体に向けてレーザ光の離散スポットのパターンを投射するために配置構成されるソリッド・ステート光源（２１０）と、
−  複数のピクチャ要素を備える検出器（２２０）であって、パルスの前記シーケンスと同期して、前記物体により反射させられるような離散スポットの前記パターンを表す光を検出するように構成される、検出器（２２０）と、
−  前記検出される光に応答して前記ピクチャ要素により生成される露出値の関数として、前記物体までの前記距離を算出するように構成される処理手段（２４０）と
を備え、
前記ピクチャ要素（２２０）は、前記シーケンスの前記パルスのすべてに対して、第１のあらかじめ決定された時間ウィンドウ（１０）の間の、前記物体により反射させられる光の第１の量を表すものである第１の量の電荷と、第２のあらかじめ決定された時間ウィンドウ（２０）の間の、前記物体により反射させられる光の第２の量を表すものである第２の電荷とを蓄積することにより、前記露出値を生成するように構成され、前記第２のあらかじめ決定された時間ウィンドウ（２０）は、前記第１のあらかじめ決定された時間ウィンドウ（１０）の後に生起し、
前記システムは、パルスの、少なくとも２つの連続したシーケンスに対して、前記投射及び、前記検出を実行するように構成され、前記シーケンスの各々は、前記第１のあらかじめ決定された時間ウィンドウ、及び、前記第２のあらかじめ決定された時間ウィンドウの異なる持続時間で動作させられる、システム（２００）。
【請求項２】
前記複数のピクチャ要素の各々は、電荷貯蔵ウェルの少なくとも２つのセットを備え、光の前記第１の量の前記検出及び光の前記第２の量の前記検出は、電荷貯蔵ウェルの前記少なくとも２つのセットのうちのそれぞれのもので行われ、
電荷貯蔵ウェルの前記セットの各々は、カスケードとして構成される、請求項１に記載のシステム。
【請求項３】
電荷貯蔵ウェルの前記セットの各々は、直列に配置構成されるカスケードとして構成される、請求項２に記載のシステム。
【請求項４】
電荷貯蔵ウェルの前記セットの各々は、並列に配置構成されるカスケードとして構成される、請求項２に記載のシステム。
【請求項５】
パルスの、前記少なくとも２つの連続したシーケンスの各々に対して、前記第１のあらかじめ決定された時間ウィンドウ、及び、前記第２のあらかじめ決定された時間ウィンドウは、実質的に等しい持続時間のものであり、続け様に生起し、光の前記第１の量を検出するように構成される前記ピクチャ要素の総合的な貯蔵キャパシティは、光の前記第２の量を検出するように構成される前記ピクチャ要素の総合的な貯蔵キャパシティより大きい、請求項１から４までのいずれか一項に記載のシステム。
【請求項６】
車両であって、前記車両を包囲する区域の少なくとも一部を動作可能にカバーするように配置構成される、請求項１から５までのいずれか一項に記載のシステム（１００）を備える、車両。
【請求項７】
請求項１から５までのいずれか一項に記載のシステム（１００）を備えるカメラであって、前記システム（１００）は、前記システムから得られる情報に基づいて、前記カメラの画像に３Ｄ情報を追加して、３Ｄ画像を創出することを可能にするように適合される、カメラ。
【請求項８】
物体までの距離を決定するための方法であって、
−  ソリッド・ステート光源（２１０）を使用して、パルスのシーケンスで前記物体に向けてレーザ光のスポットのパターンを投射するステップ（１１０）と、
−  複数のピクチャ要素を備える検出器（２２０）を使用して、パルスの前記シーケンスと同期して、前記物体により反射させられるようなスポットの前記パターンを表す光を検出するステップ（１２０；１３０）と、
−  前記検出される光に応答して前記ピクセルにより生成される露出値の関数として、前記物体までの前記距離を算出するステップ（１４０）と
を含み、
前記ピクチャ要素（２２０）は、前記シーケンスの各々のパルスに対して、第１のあらかじめ決定された時間ウィンドウ（１０）の間の、前記物体により反射させられる光の第１の量を表すものである第１の量の電荷と、第２のあらかじめ決定された時間ウィンドウ（２０）の間の、前記物体により反射させられる光の第２の量を表すものである第２の量の電荷とを蓄積することにより、前記露出値を生成し、前記第２のあらかじめ決定された時間ウィンドウ（２０）は、前記第１のあらかじめ決定された時間ウィンドウ（１０）の後に生起し、
前記投射するステップ（１１０）、及び、前記検出するステップ（１２０；１３０）は、パルスの、少なくとも２つの連続したシーケンスに対して繰り返され、前記シーケンスの各々は、前記第１のあらかじめ決定された時間ウィンドウ、及び、前記第２のあらかじめ決定された時間ウィンドウの異なる持続時間で動作させられる、方法。
【請求項９】
パルスの、前記少なくとも２つの連続したシーケンスの各々に対して、前記第１のあらかじめ決定された時間ウィンドウ、及び、前記第２のあらかじめ決定された時間ウィンドウは、実質的に等しい持続時間のものであり、続け様に生起する、請求項８に記載の方法。
【請求項１０】
前記複数のピクチャ要素の各々は、少なくとも２つの電荷貯蔵ウェルを備え、光の前記第１の量の前記検出するステップ、及び、光の前記第２の量の前記検出するステップは、前記少なくとも２つの電荷貯蔵ウェルのうちのそれぞれのもので行われる、請求項８又は９に記載の方法。
【請求項１１】
プロセッサが請求項８から１０までのいずれか一項に記載の方法を遂行することを引き起こすように構成されるコード手段を含むコンピュータ・プログラム製品。
【発明の詳細な説明】
【技術分野】
【０００１】
本発明は、物体までの距離を決定するためのシステムの分野に、特に、シーン又はそのシーンの一部の特性評価に対して使用されることになる飛行時間ベースの検知システムに関わるものである。
【背景技術】
【０００２】
遠隔検知技術の分野では、主として、自動車及び工業環境、ゲーミング用途、並びに地図作成用途等の、ただしこれらに制限されない、多くの制御及びナビゲーション用途で使用されるべき、周辺の高分解能地図を作製する使用法において、飛行時間ベースの検知を使用して、センサからの物体の距離を決定することが知られている。飛行時間ベースの技法は、ＲＦ変調源、レンジ・ゲーテッド・イメージャ（ｒａｎｇｅ  ｇａｔｅｄ  ｉｍａｇｅｒ）、及び直接飛行時間（ＤＴｏＦ：ｄｉｒｅｃｔ  ｔｉｍｅ−ｏｆ−ｆｌｉｇｈｔ）イメージャの使用を含む。ＲＦ変調源及びレンジ・ゲーテッド・イメージャの使用に関しては、関心のあるシーン全体を、変調又はパルス化された源によって照射することが必要である。大部分のＬＩＤＡＲ等の直接飛行時間システムは、関心のある区域をパルス化されたビームによって機械的にスキャンし、そのビームの反射が、パルス検出器によって検知される。
【０００３】
放出されたＲＦ変調信号を、検出される反射された信号と相関させることを可能にするためには、放出された信号は、いくつかの制約を満たさなければならない。実際に、これらの制約は、ＲＦ変調システムを、車両システムにおける使用に対してきわめて非実用的にすることが判明している。検出の到達可能レンジは、従来の安全限界内であり、且つ、正規車両の電力予算内にある信号強度に対しては、非常に制限される。
【０００４】
大部分のＬＩＤＡＲシステムで使用されるような直接ＴＯＦ（ＤＴｏＦ）イメージャは、強力なパルス化されたレーザ（ナノ秒パルス体制で動作する）と、１Ｄ点測定から３Ｄ地図を獲得するための機械的スキャニング・システムと、パルス検出器とを備える。このタイプのシステムは、現在、カリフォルニア州モーガン・ヒルのＶｅｌｏｄｙｎｅ  Ｌｉｄａｒを含むベンダから入手可能である。現況技術システムの実例としてのＶｅｌｏｄｙｎｅ  ＨＤＬ−６４Ｅは、１秒あたり５から１５回転での、機械的に回転する構造での、６４個の高パワー・レーザと、６４個の検出器（アバランシェ・ダイオード）とを使用する。これらのＤＴｏＦ  ＬＩＤＡＲシステムにより要される光学パワーは、半導体レーザによって得られるにはあまりにも高いものであり、それらの半導体レーザのパワーは、５から６桁のレンジで、より低い。加えて、スキャニング目的での機械的に回転する要素の使用は、このタイプのシステムの小型化、信頼性、及びコスト削減に対する見込みを制限する。
【０００５】
特許文献１は、２０ｎｓのパルス幅を有するパルスで、５０ｍＷの総エネルギーを給送するＶＣＳＥＬを開示している。市販で入手可能なＯｐｔｅｋ  ＯＰＶ３１０  ＶＣＳＥＬは、１０ｎｓの持続時間を有するパルスで、６０ｍＷの総エネルギーを給送し、それは、１００ｍＷの最大光学出力パワーを有すると、外挿により推定され得る。この値は、熱的問題に起因する不安定性を回避するために、最適なデューティ・サイクル及び短いパルス幅を意味する、非常に厳格な動作条件のもとで現実化されるのみである。Ｔｒｉｌｕｍｉｎａ開示及びＯｐｔｅｋシステムの両方は、連続波ＶＣＳＥＬシステムが、ＶＣＳＥＬ設計に本来的に結び付けられる熱的制約に起因して、光学ピーク・パワー出力に関して、それらのシステムの物理的限界に達しているということを例解している。これらのパルス・エネルギー・レベルで、及び、ＤＴｏＦ用途で現在使用されるようなｎｓパルスを使用すると、１２０ｍの距離での物体により有用に反射されることが予期され得る光子の純粋な数は低いので、そのことは、ＣＭＯＳ、又はＣＣＤ、又はＳＰＡＤアレイ等の従来の半導体センサの手段による検出を挫折させるものである。かくして、知られているＤＴｏＦシステムのレンジを拡張するために要されることになるような、ＶＣＳＥＬパワー出力を５又は６桁だけ増大することは、物理的に不可能である。
【０００６】
わずかな帰還する光子を捕捉するのに理論的には十分に高感度である、アバランシェ・ダイオード（ＡＤ又はＳＰＡＤ）の使用でさえ、知られているＬＩＤＡＲシステム・アーキテクチャでは有用に活用されないことがある。ＳＰＡＤのアレイのソリッド・ステート実装形態は、順次的に読み出されなければならない。高い数のＳＰＡＤが、所望される正確度を達成するために要される。ソリッド・ステート実装形態の順次的読み出し制約は、システムの帯域幅を制限し、その実装形態を、所望される正確度に対して不適当にする。Ｖｅｌｏｄｙｎｅシステムのもの（距離とは無関係に、０．０２ｍから０．０４ｍ）等の正確度に対して、要される読み出しデータ・レートは、今日のＩＣ実装形態の事例での実際的に達成可能な帯域幅を超える。１２０ｍでの動作に対して、ＩＣベースの実装形態では順次的に読み出されなければならない、５００×５００ピクセルのＳＰＡＤアレイが要される。前に述べられたＶｅｌｏｄｙｎｅシステムと同じ精密度に対して、それは、１ミリ秒あたり１０００パルス、及びゆえに、１秒あたり２５０ギガピクセルの読み出しレートに換算される、１ミリ秒あたり１０００フレームを要することになる。このことは、現時のＳＰＡＤ  ＩＣ技術の背景状況では、技術的に実行不可能であると考えられる。
【０００７】
非特許文献１による論文は、ＶＣＳＥＬベースのＬＩＤＡＲ用途を説明している。論文は、説明されるプロトタイプ・システムの最大出力パワーは、０．７５ｍより大であるレンジでは、広視野ＬＩＤＡＲを行うのに充分に大ではなかったということを説述している。相対的に集束されたビーム（１ｍ距離での０．０２ｍスポット・サイズ）によって、著者らは、１ｍまでの距離での標的物体を測距することができた。
【０００８】
上記の実例は、現在の半導体レーザにより放出される光学パワーが、知られているＬＩＤＡＲシステムでの動作が（例えば、１２０ｍまでのレンジに対する）自動車用途で実際的に役に立つものとなるのに必要なパワー要件を満たすことができないということを明確に示す。
【０００９】
特許文献２は、複数個のレーザを使用して、よりコンパクトでコスト効果の高いＬＩＤＡＲ機能性を提供する、車両ベースのＬＩＤＡＲシステム及び方法を開示している。レーザのアレイ内の各々のレーザは、逐次的に活動化され得るものであり、そのことによって、レーザのアレイに対して搭載される対応する光学要素が、実質的に異なる方向でのそれぞれの質問ビームを生み出す。これらのビームからの光は、車両の環境内の物体により反射され、物体に関する情報を車両運転者及び／又は乗客に提供するために検出される。その特許は、知られているＤＴｏＦ  ＬＩＤＡＲシステムでの知られている機械的スキャニングを置換するために、個々のレーザが連続して活動化されるソリッド・ステート・プロジェクタを提供する。
【００１０】
飛行時間検出を使用しない、車両に対する高正確度中間レンジ周辺検知システムが、本出願人の名義での特許文献３から知られている。その公開では、物体の位置特定は、パルス化された放射スポットの投射、及び、所定の参照スポット位置を参照する、検出されたスポットの変位の分析に基づく。より詳しくは、引用される公開のシステムは、三角測量を使用する。しかしながら、達成され得る正確度は三角測量基線と相関し、そのことは、達成され得る更なる小型化を制限する。
【００１１】
特許文献４は、シーンの照射を適応的に制御するための方法及びシステムを開示している。特に、シーンが照射され、シーンから反射される光が検出される。シーンの中の異なる区域に対応する、複数個のピクセル検出器の異なるピクセルにより受信される光強度のレベルに関しての情報、及び／又は、シーンの中の区域までのレンジに関しての情報が受信される。その情報は、次いで、シーンの中の照射のレベルを制御するためのフィードバック信号として使用される。より詳しくは、シーンの異なる区域は、フィードバック信号に応答して、異なるレベルの照射を付与され得る。
【００１２】
特許文献５は、距離分解能を低減することなく距離測定レンジを拡大する能力がある距離画像センサを開示している。放射源は、時間軸上に順に配置される第１から第５のフレームでの放射パルスとして物体に当てられる、第１から第５のパルス・トレインを付与する。フレームの各々では、イメージング時間は、各々のフレームの開始点からの所定の時間の点で規定され、また、パルスは、第１から第５のフレームの開始点から、互いとは異なるシフト量だけ、それぞれシフトされる。ピクセル・アレイは、５つのフレームの各々で、イメージング・ウィンドウＡ及びＢを使用して、互いとは異なる距離レンジでの物体の距離情報を各々が有する、要素画像信号を生成する。処理ユニットは、要素画像信号を組み合わせることにより画像信号を生成する。５つの飛行時間測定が使用されるので、放射パルスの幅は、広い距離レンジでの物体の距離情報を得るために増大される必要がなく、距離分解能は低減されない。
【００１３】
特許文献６は、レンジ画像センサを開示しており、そのセンサは、複数の２次元に配置されたユニットからなっているイメージング領域を伴う半導体基板上に設けられ、以て、ユニットからの電荷総量出力を基にしてレンジ画像を得る。ユニットのうちの１つは、電荷が入射光に応答して生成される電荷生成領域（転送電極の外側の領域）と、電荷生成領域から電荷を収集するために空間的に隔たって配置される少なくとも２つの半導体領域と、半導体領域の各々の辺縁に設置され、位相的に異なる電荷転送信号を与えられ、半導体領域を包囲する転送電極とを設けられる。
【００１４】
非特許文献２による論説は、フォト変換及び電荷転送のためにフィールド酸化物構造上の単層ゲートを使用する、あるタイプのＣＭＯＳ飛行時間（ＴＯＳ）レンジ画像センサを開示している。この構造は、標準的なＣＭＯＳプロセスでの、１５×１５μｍ２ピクセルを伴う高密度ＴＯＦレンジ・イメージング・アレイの現実化を可能とする。高速電荷転送のために必要であるｎ型埋め込み層を創出するための追加的なプロセス・ステップのみが、製作プロセスに追加される。センサは、アクティブな照射光源からの後方反射される赤外光パルスにより誘導されるフォト電荷の時間遅延依存変調に基づいて動作する。背景光の影響を低減するために、小デューティ・サイクル光パルスが使用され、電荷排出構造がピクセルに含まれる。製作されたＴＯＦセンサ・チップは、測定すると、１００ｎｓのパルス幅での、１秒あたり３フレームでの０．７４ｃｍに対する改善である、１秒あたり３０フレームでの２．３５ｃｍのレンジ分解能である。
【００１５】
本出願の出願日には公開されていなかった、本出願人の名義での特許文献７は、物体までの距離を決定するためのシステム及び方法のいくつかの態様を説明している。
【００１６】
ＡＤＡＳ（自律運転支援システム（ａｕｔｏｎｏｍｏｕｓ  ｄｒｉｖｉｎｇ  ａｓｓｉｓｔａｎｃｅ  ｓｙｓｔｅｍ））用途及び自律運転用途などの、複雑な車両周辺検知用途での、極度の小型化、及び／又は、より長いレンジを得ること、並びに、これを、穏当なコストで、及び、コンパクトな半導体集積フォーム・ファクタで得ることの継続する必要性が存する。
【先行技術文献】
【特許文献】
【００１７】
【特許文献１】米国特許出願公開第２０１５／００６３３８７号明細書
【特許文献２】米国特許第７，５４４，９４５号明細書
【特許文献３】国際公開第２０１５／００４２１３号
【特許文献４】米国特許出願公開第２０１２／００３８９０３号明細書
【特許文献５】欧州特許出願公開第２３２２９５３号明細書
【特許文献６】欧州特許出願公開第２２９０４０２号明細書
【特許文献７】欧州特許出願第１５１９１２８８．８号明細書
【特許文献８】米国特許出願公開第２０１４／３５３４７２号明細書
【非特許文献】
【００１８】
【非特許文献１】Neil E. Newman et al., “High Peak Power VCSELs in Short Range LIDAR Applications”, Journal of Undergraduate Research in Physics, 2013, http://www.jurp.org/2013/12017EXR.pdf
【非特許文献２】Shoji Kawahitoet al., “A CMOS Time-of-Flight Range Image Sensor With Gates-on-Field-Oxide Structure”, IEEE Sensors Journal, Vol. 7, no. 12, p. 1578-1586
【発明の概要】
【発明が解決しようとする課題】
【００１９】
変位ベースの車両周辺検知システムに対する、さらに小型化された、及び、より長いレンジの代替案を提供することが、本発明の実施例の目指すところである。さらにまた、知られているＬＩＤＡＲシステムに対する、完全なソリッド・ステート代替案を提供することが、本発明の実施例の目指すところである。
【課題を解決するための手段】
【００２０】
本発明の態様によれば、物体までの距離を決定するためのシステムであって、パルスのシーケンスで物体に向けてレーザ光の離散スポットのパターンを投射するために配置構成されるソリッド・ステート光源と、複数のピクチャ要素を備える検出器であって、パルスのシーケンスと同期して、物体により反射させられるような離散スポットのパターンを表す光を検出するように構成される、検出器と、検出される光に応答してピクチャ要素により生成される露出値の関数として、物体までの距離を算出するように構成される処理手段とを備え、ピクチャ要素は、シーケンスのパルスのすべてに対して、第１のあらかじめ決定された時間ウィンドウの間の、物体により反射させられる光の第１の量を表すものである第１の量の電荷と、第２のあらかじめ決定された時間ウィンドウの間の、物体により反射させられる光の第２の量を表すものである第２の電荷とを蓄積することにより、露出値を生成するように構成され、第２のあらかじめ決定された時間ウィンドウは、第１のあらかじめ決定された時間ウィンドウの後に生起し、システムは、パルスの、少なくとも２つの連続したシーケンスに対して、投射及び検出を実行するように構成され、シーケンスの各々は、第１のあらかじめ決定された時間ウィンドウ、及び、第２のあらかじめ決定された時間ウィンドウの異なる持続時間で動作させられる、システムが提供される。
【００２１】
本発明は、直接飛行時間ベースの測距システムと同じ物理的原理、すなわち、光は所与の距離を進行するために所定の量の時間が常にかかるという事実に依拠する。しかしながら、本発明は、レンジ・ゲーティングを使用して、伝送され、引き続いて、標的物体により反射させられた光パルスにより進行される距離を決定する。本発明は、とりわけ、レンジ・ゲーティングと、少なくとも部分的に同時のスポット・パターン投射（新規の照射スキームに基づく）と、低パワー半導体光源とを組み合わせることにより、実質的に小型化された、完全なソリッド・ステートの、及びエネルギー効率の高い、長レンジ距離検出方法が得られ得るという、本発明者らの洞察に基づく。用語「パターン」は、本明細書で使用される際は、同時に投射されるスポットの空間的分布を指す。３次元空間での検出されるスポット反射の位置を決定するために、測距ステップから得られる距離情報を、角度情報と組み合わせて、残りの２つの空間座標を確定することが必要である。ピクセル・アレイと、適するように配置構成される光学機器とを備えるカメラが、反射が検出されるピクセルを識別することにより、追加的な角度情報を提供するために使用され得る。
【００２２】
本発明の実施例は、所望されるレンジで、ＬＩＤＡＲシステムで、ソリッド・ステート光源により生成されるスポット・パターンを使用することができるために、光学パワー限界を巧みに回避するための手立てが必要とされるという、本発明者らのさらなる洞察に基づく。本発明者らは、パルス持続時間を延長することにより、及び、少なくとも２つの半導体センサ・ウェルの中の、又は、少なくとも２つのピクセルの中の、複数個の、ＶＣＳＥＬで生成される光パルスの、反射させられるエネルギーを積分し、積分される電荷の単一の読み出しが後に続くことにより、ソリッド・ステートＬＩＤＡＲシステムが、ソリッド・ステート実現形態によって現時に可能であるより有意に大である動作レンジを伴って得られ得るということを見出した。本明細書の以降で、用語「貯蔵」は、電荷が光子の検出に応答して蓄積されるウェル又はピクセルを明示するために使用されることになる。
【００２３】
ソリッド・ステート光源及びソリッド・ステート・センサ（ＣＭＯＳセンサ、ＣＣＤセンサ、ＳＰＡＤアレイ、又は同類のものなど）が、同じ半導体基板上に集積され得るということが、本発明の利点である。ソリッド・ステート光源は、ＶＣＳＥＬアレイ、又は、所望されるパターンを生み出すように適応させられる格子を伴うレーザを備え得る。
【００２４】
その上、２つの連続した時間ウィンドウで検出される、反射させられる光エネルギーを査定し、２つの連続したウィンドウでの総合的な集積される電荷に対して正規化することにより、調査中の物体の変動する反射率の影響力、及び、周囲光の寄与は、距離算出アルゴリズムにおいて妥当に原因説明が行われ得る。
【００２５】
本発明は、フル・レンジの検知を、複数個のフレーム（すなわち、パルスの複数個のシーケンス）にわたって分け、それらのフレームの各々が、異なるタイミング・パラメータによって動作することによって、異なるレンジを「調べる」ことにより（第１のあらかじめ決定された時間ウィンドウ、及び、第２のあらかじめ決定された時間ウィンドウ）、システムのレンジが改善され得るという、本発明者らの洞察にさらに基づく。
【００２６】
これらの動作パラメータの賢明な選定は、各々のフレームで、所望されるレンジの最大限の距離に対して検出されることが予期される、反射させられる光子の数が、電荷貯蔵ウェルから、高い信頼性で読み出され得る電荷の量に対応するということを確実にし得る。他方で、正確な測定が遂行され得る最も近い点は、ピクセルのキャパシティを飽和させることになる。光子の最小限の検出可能な数と、飽和なしで受け取られ得る光子の最大限の数との間の比は、単一のフレームでスパンとされ得る距離レンジを決定する。
【００２７】
本発明によるシステムの実施例では、複数のピクチャ要素の各々は、電荷貯蔵ウェルの少なくとも２つのセットを備え、光の前記第１の量の検出及び光の第２の量の検出は、電荷貯蔵ウェルの少なくとも２つのセットのうちのそれぞれのもので行われ、電荷貯蔵ウェルのセットの各々は、カスケードとして構成される。
【００２８】
用語「電荷貯蔵ウェル」は、ピクセルに突き当たる光子の変換により生成される電荷を貯蔵する、半導体基板内に設けられる貯蔵域、例えばコンデンサを明示する。
【００２９】
ピクチャ要素では、突き当たる光を表すものである電荷は、ウェル・レベルで蓄積される。ウェル・レベルでの電荷蓄積の利点は、読み出しノイズが最小化され、そのことが、より良好な信号対ノイズ比につながるということである。
【００３０】
蓄積されることになる電荷の総合的な量が、複数個のウェルにわたって分散され、そのことが、より大である総合的な電荷貯蔵キャパシティを可能とし、一方で、総合的な電荷レベルの正確な読み出しを維持するということが、カスケード・ベースの配置構成の利点である。
【００３１】
総合的な電荷貯蔵キャパシティの増大は、大きい数の光子、及びゆえに、大きい量の電荷がシステムにより受け取られる、動作レンジの端部で、特に重要なものであり、このことは、短いレンジでの（なぜならば、距離の関数での光の強度は、逆二乗則にしたがうからである）、又は、並外れて高いリフレクタンスを伴う表面がセンサの視界内に存在するときの事例である。単一のウェルが飽和させられる傾向にあることになる条件では、カスケード・ベースの配置構成は、電荷の総合的な量を正確に決定することの可能性を失うことなく、過剰電荷が後続の貯蔵ウェル内に貯蔵されることを可能とする。
【００３２】
カスケード内のキャパシティの総合的な数は、所望される動作レンジ及び正確度、並びに、ポアソン・ノイズを可能な限り低く保つための一般的な要件の関数で選択され得る。後者の条件は、ポアソン・ノイズが距離決定の正確度に有害である、レンジ・ゲーティングの適用に本来的に結び付けられるものである。低いレベルのポアソン・ノイズは、電荷がカスケードの１つ又は複数のキャパシティに貯蔵されるかどうかに関係なく、連続的な光子−電荷応答を可能とする。
【００３３】
本発明によるシステムの実施例では、電荷貯蔵ウェルのセットの各々は、直列に配置構成されるカスケードとして構成される。本発明によるシステムの別の実施例では、電荷貯蔵ウェルのセットの各々は、並列に配置構成されるカスケードとして構成される。
【００３４】
これらの実施例は、貯蔵ウェルの所望されるカスケード効果を得るための、実現するのが容易な配置構成を提供するということが、これらの実施例の利点である。
【００３５】
本発明によるシステムの実施例では、パルスの、前記少なくとも２つの連続したシーケンスの各々に対して、前記第１のあらかじめ決定された時間ウィンドウ、及び、前記第２のあらかじめ決定された時間ウィンドウは、実質的に等しい持続時間のものであり、続け様に生起し、光の前記第１の量を検出するように構成される前記ピクチャ要素の総合的な貯蔵キャパシティは、光の前記第２の量を検出するように構成される前記ピクチャ要素の総合的な貯蔵キャパシティより大きい。
【００３６】
この実施例は、反射させられる光子の過負荷に起因する電荷貯蔵要素の飽和を回避する助けとなるということが、この実施例の利点である。この問題は、すぐ近くの距離で最も顕著である。短いレンジでは、反射させられる光子の総合的な数は、逆二乗則に起因して、より高くなることになり、一方で、反射させられる信号の大部分は、第１の時間ウィンドウの中で到着し、かくして、電荷貯蔵ウェルの対応するセット内に貯蔵されることになる。ゆえに、第１の時間ウィンドウに対応する電荷貯蔵ウェルのセットを、より大きい量の電荷を扱うことができるように寸法設定することが有用である。
【００３７】
本発明の態様によれば、車両であって、前記車両を包囲する区域の少なくとも一部を動作可能にカバーするように配置構成される、上記で説明されたようなシステムを備える、車両が提供される。
【００３８】
本発明によるシステムは、特に、ＥＣＵ（電気制御ユニット（ｅｌｅｃｔｒｉｃａｌ  ｃｏｎｔｒｏｌ  ｕｎｉｔ））などの、ただしそれに制限されない、ＡＤＡＳ又は自律運転制御ユニットを伴う車両で有利である。車両は、システムから測定情報を受信するために、及び、情報を、ＡＤＡＳ制御又は自律運転の判断を為すことに対して使用するために適応させられる車両制御ユニットをさらに備え得る。車両を包囲する区域の一部は、車両の前方、横、又は背後の道路表面を含み得る。よって、システムは、アクティブ・サスペンション又はセミ・アクティブ・サスペンションに対して使用されることになる、車の前方の表面の道路輪郭情報を提供し得る。
【００３９】
本発明の態様によれば、上記で説明されたようなシステムを備えるカメラであって、システムは、システムから得られる情報に基づいて、カメラの画像に３Ｄ情報を追加して、３Ｄ画像を創出することを可能にするように適合される、カメラが提供される。
【００４０】
本発明の態様によれば、物体までの距離を決定するための方法であって、ソリッド・ステート光源を使用して、パルスのシーケンスで物体に向けてレーザ光のスポットのパターンを投射するステップと、複数のピクチャ要素を備える検出器を使用して、パルスのシーケンスと同期して、物体により反射させられるようなスポットのパターンを表す光を検出するステップと、検出される光に応答してピクセルにより生成される露出値の関数として、物体までの距離を算出するステップとを含み、ピクチャ要素は、シーケンスの各々のパルスに対して、第１のあらかじめ決定された時間ウィンドウの間の、物体により反射させられる光の第１の量を表すものである第１の量の電荷と、第２のあらかじめ決定された時間ウィンドウの間の、物体により反射させられる光の第２の量を表すものである第２の量の電荷とを蓄積することにより、露出値を生成し、第２のあらかじめ決定された時間ウィンドウは、第１のあらかじめ決定された時間ウィンドウの後に生起し、投射するステップ、及び、検出するステップは、パルスの、少なくとも２つの連続したシーケンスに対して繰り返され、シーケンスの各々は、第１のあらかじめ決定された時間ウィンドウ、及び、第２のあらかじめ決定された時間ウィンドウの異なる持続時間で動作させられる、方法が提供される。
【００４１】
本発明による方法の実施例では、パルスの、少なくとも２つの連続したシーケンスの各々に対して、第１のあらかじめ決定された時間ウィンドウ、及び、第２のあらかじめ決定された時間ウィンドウは、実質的に等しい持続時間のものであり、続け様に生起する。
【００４２】
本発明による方法の実施例では、複数のピクチャ要素の各々は、少なくとも２つの電荷貯蔵ウェルを備え、光の第１の量の検出するステップ、及び、光の第２の量の検出するステップは、少なくとも２つの電荷貯蔵ウェルのうちのそれぞれのもので行われる。
【００４３】
本発明の態様によれば、プロセッサが上記で説明されたような方法を遂行することを引き起こすように構成されるコード手段を含むコンピュータ・プログラム製品が提供される。
【００４４】
本発明によるカメラ、車両、方法、及びコンピュータ・プログラム製品の実施例の、技術的効果及び利点は、しかるべき変更を加えた上で、本発明によるシステムの対応する実施例の技術的効果及び利点に対応する。
【００４５】
ここで、添付の図面を参照して、本発明のこれら及び他の態様及び利点をより詳細に説明する。
【図面の簡単な説明】
【００４６】
【図１】本発明による方法の実施例のフロー・チャートである。
【図２】本発明によるシステムの実施例を概略的に表す図である。
【図３ａ】本発明の実施例における光投射及び検出についてのタイミング図である。
【図３ｂ】本発明の実施例における光投射及び検出についてのタイミング図である。
【図３ｃ】本発明の実施例における光投射及び検出についてのタイミング図である。
【図３ｄ】本発明の実施例における光投射及び検出についてのタイミング図である。
【図４】対数トーン・マッピング（上部）及び多重線形トーン・マッピング（下部）により得られるような、入射光パワーの関数での例示的なピクセル出力の線図を提供する図である。
【図５】高ダイナミック・レンジ多出力ピクセルにより得られるような、入射光パワーの関数での例示的なピクセル出力の線図を提供する図である。
【図６】本発明の実施例での使用のための高ダイナミック・レンジ・ピクセルの構造を概略的に例解する図である。
【図７】本発明の実施例での使用のための、各々別々の転送ゲートを伴う、２つの電荷ウェル（ビン）を伴うピクセル・アーキテクチャの実施例を概略的に例解する図である。
【図８】本発明の実施例での使用のための第１の例示的な光学配置構成を概略的に例解する図である。
【図９】本発明の実施例での使用のための第２の例示的な光学配置構成を概略的に例解する図である。
【図１０】本発明の実施例での使用のための第３の例示的な光学配置構成を概略的に例解する図である。
【図１１】本発明の実施例での使用のための第４の例示的な光学配置構成を概略的に例解する図である。
【図１２】本発明の実施例での使用のための第５の例示的な光学配置構成を概略的に例解する図である。
【図１３】第６の例示的な光学配置構成を概略的に例解する図である。
【発明を実施するための形態】
【００４７】
本出願人の名義での特許文献３で開示されているタイプの周辺検知システムは、広範囲のシーンを観察することを、そのシーンを同時に、又は、部分的に同時に、何個かの離散の、及び、良好に画定されたスポット、特に、あらかじめ画定されたスポット・パターンでのみ照射しながら行うことの利点を有する。傑出したバンドル品質、及び、非常に狭い出力スペクトルを伴うＶＣＳＥＬレーザを使用することにより、昼光の存在の場合でさえ、制限される量の出力パワーによって検出レンジを得ることが可能である。特許文献３のシステムで実行される実際の測距は、変位検出、特に三角測量に依拠し、それは、パワー・バジェットに鑑みて必要であった長い（準定常の）パルス持続時間の背景状況で実際的に利用可能な、他にない方法であると理解されていた。これまでのところ、コンパクトな半導体ベースの飛行時間ベースのシステムによって、同じパワー／性能特性を達成することは可能でなかった。
【００４８】
本発明は、飛行時間ベースのシステムが動作する手立てを根本的に変化させることにより、この限界を克服する。本発明は、各々の飛行時間測定に対する放出される光エネルギーの総合的な量（及びかくして、各々の飛行時間測定に対する検出器での検出に対して利用可能な光子の数）を、個々のパルスの持続時間を増大することにより、及び、大きい数の個々のパルスのシーケンスからなる仮想的な「複合パルス」を生み出すことにより増大する。拡張されるパルスのこのバンドリングは、本発明者らが、低パワーＶＣＳＥＬによって、所望される動作レンジに対する光エネルギー（光子）の要される量を得ることを可能とした。
【００４９】
以前からの既存のＬＩＤＡＲシステムの個々のパルスが１ｎｓの持続時間を有し得る場合、本発明によるシステムは、ＶＣＳＥＬなどの半導体レーザの相対的に低いパワー・レベルに対して部分的に補償するための、実質的により長いパルス持続時間から利益を得るものであり、本発明の実施例では、シーケンスの中の個々のパルスは、１μｓの例示的な持続時間を有し得る（これは、説明を明確で簡単にしておくためにここで選定された、１つの可能な値であり、より一般的には、本発明の実施例では、パルス持続時間は、例えば５００ｎｓ以上、好ましくは７５０ｎｓ以上、最も好ましくは９００ｎｓ以上であり得る）。本発明による例示的なシステムでは、シーケンスは、１０００パルス・サイクルからなることがあり、かくして、合わせて１ｍｓの持続時間になる。光が、１００ｍの距離での標的に、及び、検出器に戻るように進行するために、近似的に０．６６μｓを必要とすることになるという事実を考え合わせると、この桁数の距離で測距するために、この持続時間の複合パルスを使用することは可能であり、当業者は、選択されるパルス幅、及び、所望されるレンジの関数で、パルス・サイクルの要される数を調整することができることになる。シーケンスの検出は、好ましくは、ＶＣＳＥＬベースの光源と同期して、個々のパルスを検出することと、読み出しより前に、シーケンス全体に対して、ピクセル・ウェル・レベルでの入来光子に応答して生成される電荷を蓄積することとを含む。用語「露出値」は、本明細書の以降で、シーケンスにわたって積分される電荷を（及びかくして、ピクセルで受け取られる光の量を）表すものである値を示すために使用される。シーケンス放出及び検出は、周期的に繰り返され得る。
【００５０】
本発明は、レンジ・ゲーティングを使用することにより動作する。レンジ・ゲーテッド・イメージャは、パルスの持続時間の間、放出されるパルスの反射の検出されるパワーを積分する。パルス放出ウィンドウと、反射されるパルスの到着との間の時間的重なりの量は、光パルスの帰還時間に、及びかくして、パルスにより進行される距離に依存する。かくして、積分されるパワーは、パルスにより進行される距離と相関される。本発明は、本明細書の上記で説明されたパルスのシーケンスに適用されるような、レンジ・ゲーティングの原理を使用する。後に続く説明では、シーケンス全体の測定値を得るための、ピクチャ要素のレベルでのシーケンスの個々のパルスの積分が、暗黙的に理解される。
【００５１】
図１は、本発明による方法の実施例のフロー・チャートを表す図である。一般性を失うことなく、測距方法は、レンジ・ゲーティング・アルゴリズムを参照して説明される。第１の時間ウィンドウ１０で、方法は、シーナリの標的にされた区域内の任意の物体上に、ソリッド・ステート光源２１０を備える光源からの、レーザ光のスポットのパターン（例えば、スポットの規則的又は不規則な空間的パターン）を投射するステップ１１０を含む。空間的パターンは、パルスのシーケンスで繰り返し投射される。
【００５２】
上記で示されたように、ソリッド・ステート光源は、ＶＣＳＥＬアレイ、又は、所望されるパターンを生み出すように適合された格子を伴うレーザを備え得る。長いレンジで、及び、（例えば、昼光での）高いレベルの周囲光を伴ってでさえ、システムが最適に動作するために、本発明の実施例での使用のためのＶＣＳＥＬは、好ましくは、区域の単位あたりのスポットあたりの最大光学パワーを放出するように配置される。かくして、良好なビーム品質（低いＭ２因子）を伴うレーザが好まれる。より好ましくは、レーザは最小限の波長広がりを有するべきであり、特に低い波長広がりが、モノモード・レーザによって達成され得る。かくして、実質的に同一のパルスが、必要な空間的及び時間的正確度を伴って、再現可能に生成され得る。
【００５３】
パルスが放出される同じ時間ウィンドウの間、又は、実質的に重なる時間ウィンドウで、関心の物体により反射されるようなスポットのパターンを表す光の第１の量が、好ましくは光源に可能な限り近く配置される検出器で検出される（１２０）。スポット・パターンの投射１１０と、その反射の第１の検出１２０との間の同期性、又は近い同期性が、これらのステップの横並びの配置によりフロー・チャートで例解される。後続の第２の所定の時間ウィンドウ２０で、反射される光スポットを表す光の第２の量が、検出器で検出される（１３０）。この第２のウィンドウ２０の間、ソリッド・ステート光源は非アクティブである。物体までの距離が、次いで、反射される光の第１の量、及び、反射される光の第２の量の関数として算出され得る（１４０）。
【００５４】
第１の所定の時間ウィンドウ１０、及び、第２の所定の時間ウィンドウ２０は、好ましくは、検出される量の一方を他方のものから差し引くことにより、ノイズ及び周囲光相殺を容易にするために、実質的に等しい持続時間の続け様のウィンドウである。例示的なタイミング・スキームを、図３との連関で、下記でより詳細に説明する。
【００５５】
検出器は、複数のピクチャ要素を備え、すなわち、その検出器は、ピクチャ要素上に（照射されるスポットを含む）シーナリの画像を投射するように配置構成される妥当な光学機器を伴う、ピクチャ要素アレイからなる。用語「ピクチャ要素」は、本明細書で使用される際は、ピクセルの個々の光センシティブ区域若しくはウェルを、又は、ピクセル全体（複数個のウェルを備え得る、下記を確認されたい）を指すことがある。あらゆる所与の投射されるスポットに対して、光の第１の量の検出すること１２０、及び、光の第２の量の検出すること１３０は、複数のピクチャ要素の同じ１つ、又は同じグループで生じる。
【００５６】
一般性を失うことなく、ピクチャ要素の各々は、少なくとも２つの電荷貯蔵ウェル２２１、２２２を備えるピクセルであり得るものであり、そのことによって、光の第１の量の検出すること１２０、及び、光の第２の量の検出すること１３０は、同じピクセル又はピクセル・グループのそれぞれの電荷貯蔵ウェル２２１、２２２で生じ得る。
【００５７】
図２は、関心のシーナリ内の物体９９との関係で、本発明によるシステムの実施例を概略的に表す。システム２００は、物体９９上への、周期的に繰り返されることがある、スポットのシーケンスのパターンを投射することのためのソリッド・ステート光源２１０を備える。検出器２２０が、光源の近くに配置され、物体により反射される光を検出するように構成される。
【００５８】
物体９９で跳ね返る光ビームは、破線での矢印として例解され、光源２１０から物体９９に、及び、検出器２２０に戻るように進行する。この表現は、厳密に言えば概略的であり、何らかの実際の相対的な距離又は角度を指し示すことを意図されないということが留意されるべきである。
【００５９】
従来のクロック回路又は発振器を含み得る同期手段２３０が、第１の所定の時間ウィンドウ１０の間、物体上にスポットのパターンを投射するようにソリッド・ステート光源２１０を動作させるように、及び、実質的に同じ時間に、物体９９により反射される光スポットを表す光の第１の量を検出するように検出器２２０を動作させるように構成される。その同期手段２３０は、それぞれの後続の第２の所定の時間ウィンドウ２０の間、物体９９により反射される光スポットを表す光の第２の量を検出するように検出器２２０を更に動作させる。適切な処理手段２４０が、反射される光の第１の量、及び、反射される光の第２の量の関数として、物体までの距離を算出するように構成される。
【００６０】
図３は、本発明の実施例での光投射及び検出に対するタイミング線図を表す。明確性の理由で、第１の時間ウィンドウ１０と、第２の時間ウィンドウ２０とからなる、図１の、単一のパルス・シーケンスの単一のパルスのみが例解される。本発明によれば、少なくとも２つのシーケンスが、第１のシーケンスでの、第１の時間ウィンドウ１０、及び、第２の時間ウィンドウ２０の、第２のシーケンスでとは異なる持続時間を使用して、連続して伝送される。
【００６１】
図３ａで確認され得るように、第１の時間ウィンドウ１０の間、ソリッド・ステート光源２１０は、その「オン」状態にあり、シーナリ上に光スポットのパターンを放出する。第２の時間ウィンドウ２０の間、ソリッド・ステート光源２１０は、その「オフ」状態にある。
【００６２】
検出器２２０での反射される光の到着は、進行される距離に比例する時間の量（自由空間で、近似的に３．３ｎｓ／ｍ）だけ、投射の開始に相対的に遅延される。この遅延に起因して、反射させられる光の一部のみが、第１の時間ウィンドウ１０の間活動化されるのみである、検出器２２０の第１のウェル、又は、ウェルのカスケード接続されるセット２２１で検出されることになる。かくして、この第１のウェルに、そのウェルの活動化の期間（第１の時間ウィンドウ１０）の間に蓄積される電荷は、反射させられるパルスの到着より前の、ノイズ、及び、ピクセルに突き当たる周囲光のみを表す部分と、ノイズ、周囲光、及び、反射させられるパルスの立ち上がりエッジを表す部分とからなる。
【００６３】
反射されるパルスの後の方の部分は、好ましくは第１の時間ウィンドウ１０の直後に続く第２の時間ウィンドウ２０の間活動化されるのみである、検出器２２０の第２のウェル、又は、ウェルのカスケード接続されるセット２２２で検出されることになる。かくして、この第２のウェルに、そのウェルの活動化の期間（第２の時間ウィンドウ２０）の間に蓄積される電荷は、ノイズ、周囲光、及び、反射されるパルスの立ち下がりエッジを表す部分と、反射されるパルスの到着の後の、ノイズ、及び、ピクセルに突き当たる周囲光のみを表す部分とからなる。
【００６４】
反射させる物体９９とシステム２００との間の距離が大であるほど、第１のウェル、又は、ウェルのカスケード接続されるセット２２１で検出されることになるパルスの割合は小さく、第２のウェル、又は、ウェルのカスケード接続されるセット２２２で検出されることになるパルスの割合は大きい。
【００６５】
反射されるパルスの立ち上がりエッジが、第１のウェル、又は、ウェルのカスケード接続されるセット２２１の閉鎖の後（すなわち、第１の時間ウィンドウ１０の終了の後）に到着するならば、第２のウェル、又は、ウェルのカスケード接続されるセット２２２で検出され得る反射されるパルスの割合は、増大する飛行時間遅延とともに再び減少することになる。
【００６６】
物体９９の変動する距離に対する、それぞれのウェル、又は、ウェルのカスケード接続されるセット２２１、２２２の各々での、電荷の結果的に生じる量Ａ、Ｂが、図３ｂで示される。表現を簡単にするために、逆二乗則による、距離に関する光の減衰の効果は、線図では考慮に入れられていない。第１の時間ウィンドウ１０及び第２の時間ウィンドウ２０の組み合わされた持続時間までの飛行時間遅延に対しては、飛行時間遅延は、原理的にあいまいさなく、Ａ及びＢの値から導出され得るということは明確である。
−  第１の時間ウィンドウ１０の持続時間までの飛行時間遅延に対しては、Ｂが物体９９の距離に比例する。絶対距離の決定に容易に行き着くために、正規化された値Ｂ／（Ｂ＋Ａ）が使用され得るものであり、そのことは、検出される物体の完璧でない反射性の、及び逆二乗則の、何らかの影響力を除去する。
−  第１の時間ウィンドウ１０の持続時間を超える飛行時間遅延に対しては、Ａは、昼光及びノイズ寄与のみからなり（例解されない）、Ｃ−Ｂは、物体９９の距離に（逆二乗則に対して補正する後は）実質的に比例し、ただしＣはオフセット値である。
【００６７】
図３ａ及び３ｂは、時間ウィンドウ１０で放出される単一のパルスとの関係で、本発明の原理を例解するが、例解されるパルスは、上記で定義されたように、パルスのシーケンスの一部であるということが理解されるものとする。図３ｃは、単一のシーケンスの例示的なタイミング特性を概略的に例解する。例解されるように、照射スキーム４０は、個々のパルス１０のシーケンス３０の繰り返される放出からなる。個々のパルス１０の幅は、最大限の動作レンジにより決定される。シーケンス全体は、例えば６０Ｈｚの周波数で繰り返され得る。
【００６８】
図３ｄは、Ｎｍａｘ（ピクセルを飽和させることなく貯蔵され得る電子の最大限の数）及びＮｍｉｎ（正確な読み出しに対して要されるピクセルの最小数）により課される制約の結果として、距離の、標的にされたレンジ全体［Ｚｍｉｎ，Ｚｍａｘ］をカバーすることに失敗し得る、図３ｃのシーケンスでの個々のフレームが、どのように、光子の数についての同じ制約の中で、より容易にカバーされ得る、標的にされたレンジの一部分［ｚｍｉｎ（ｉ），ｚｍａｘ（ｉ）］を各々がカバーする、異なるタイミング・パラメータを伴うシーケンスに分解され得るかを概略的に例解する。
【００６９】
上記で導入され、図３ｄで使用される記号を参照すると、サブレンジの対応する電子量ｎｍｉｎ（ｉ）及びｎｍａｘ（ｉ）は、
−  電子の最大の許容可能な数（追加的なキャパシティが存しない事例でのフル・ウェル・キャパシティに対応する、フル・ピクセル・キャパシティを表す「ＦＰＣ」を使用する）：
【数１】
2019529958.tif 000003
ただし、ｚ（０）＝Ｚｍａｘ
−  最小の要される正確度レベル：ｎｍｉｎ＝Ｎｍｉｎ
−  ｚｍａｘ（ｉ）＝ｚｍｉｎ（ｉ−１）
により定義される。
【００７０】
追加的に、パルス特性は、後に続くように決定され得る：
−  パルス幅
【数２】
2019529958.tif 000004
−  総合的な「オン」時間は、フル・ピクセル・キャパシティ及び正確度レベルにより課される限界を尊重するために、
【数３】
2019529958.tif 000005
に比例して低減される。
【００７１】
上記の原理は、後に続く非制限的な数値的な実例により、さらに明確化され得る。
【００７２】
１５０ｍの距離での１０％反射率を伴うランバート反射させる表面は、１．６％の正確度を得るために１０００個の電子を提供しなければならない。同じ距離で、１００％反射させる表面は、１００００個の電子を生成することになる。２０００００個の電子のフル・ウェル・キャパシティを伴って、後に続くマルチ・フレーム解決策が提案される。
【表１】
2019529958.tif 000006
健全性の理由で、サブレンジでの重なりを設けることが有利であり得るということが留意されるべきである。
【００７３】
同じ３Ｄ分解能を保証するために、より高速のカメラを使用することが有利であり得るものであり、例えば、３フレーム・インターリービングによって１８０Ｈｚで動作するカメラは、単一フレーム動作による６０Ｈｚと同じデータ・スピードを与える。
【００７４】
上記の本文で指示されたように、電荷貯蔵要素２２１、２２２は、各々、電荷貯蔵ウェルのカスケードからなるものであり得る。カスケードの賢明な設計は、キャパシティの間の滑らかな遷移を確実にして、極度に高い正確度レベルを保証する。貯蔵キャパシティは、好ましくは、カスケードに対する十分な空間が存するということを確実にするために、一方で、突き当たる光子が電荷に変換される区域からの電荷転送を最適化することのために、各々のピクセルの周りに設計される。キャパシティは、好ましくは、パルスの各々のシーケンスに適用可能な特定のサブレンジ、及び、対応するタイミング・パラメータに対して、検出可能でなければならない最も低いレベルの光（例えば、１０００個の光子）の正確な読み出しを提供するように寸法設定される。
【００７５】
短い距離での物体による光の反射は、ピクセル飽和を引き起こす公算がより大きく、なぜならば、そのような反射の減衰は、（距離に関しての光減衰の逆二乗則に起因して）より遠距離の物体から発生する反射の減衰よりはるかに少ないことになるからである。自動車用途等の所定の用途は、相対的に長い距離までの正確なシステム動作を要するので、大きい光子スパンが、動作の最も近い距離と、動作の最も遠い距離との間でカバーされなければならない。これらの制約によって、短いレンジでのピクセル飽和は、特にウェルの第１のセット（短いレンジで反射のバルクを受け取る）では非常に大変なリスクである。本発明者らは、所与の総合的なピクセル空間に対して、ウェルの第１のセットにより表される光子キャパシティが増大され、ウェルの第２のセットにより表される光子キャパシティが減少される、非対称ウェル配置を使用することにより、飽和問題が軽減され得るということを見出した。増大及び減少のバランスがとられるならば、ダイナミック・レンジの増大が、追加的なピクセル表面コストなしで得られ得る。
【００７６】
ブルーミングは、ピクセル内の電荷が、その特定のピクセルの飽和レベルを超えるときに起こる現象である。その結果として、電荷は、オーバーフローし始め、近接するピクセルでの妨害を引き起こす。このことは、近隣のピクセルでの不正確なデータを創出する。好ましくは、本発明によるシステムのピクセルは、過剰電荷が、ウェルの関連性のあるセットを飽和させ、近接するピクセルのウェルへとあふれ出す前に、その過剰電荷を抜き取るために、アンチ・ブルーミング電子部品を設けられる。特に、近隣のスポットからの情報が、背景光の消失のために使用されるとき、近隣のピクセルから独立的に（及び、汚染を伴わずに）得られる、背景光の正確な推定を有することは、大いに重要なものである。
【００７７】
本発明の実施例は、相関二重サンプリングを用いて、ウェルのキャパシティに関係付けられる熱ノイズ（「ｋＴＣノイズ」とも示される）に対してサンプルを補正することがある。この目的で、ピクセルの電子部品は、リセット電圧（Ｖｒｅｓｅｔ）と信号電圧（Ｖｓｉｇｎａｌ）との間の差動測定を、例えば、フレームの始まりでＶｒｅｓｅｔを測定し、フレームの終了でＶｓｉｇｎａｌを測定することにより遂行するように設計され得る。電子的（ピクセル内）実装形態に対する代替案として、相関二重サンプリングは、プロセッサで読み出し信号をデジタル的に差し引くこと（Ｖｓｉｇｎａｌ−Ｖｒｅｓｅｔ）によっても実装され得る。
【００７８】
ピクセル構造内のフォトセンシティブ要素（特にダイオード）に達する光の量を増大するために、本発明の実施例は、裏面照射を使用することがあり、その事例では、ピクセル回路網は、フォトセンシティブ要素から読み取るために、フォトセンシティブ層の背後にあり、かくして、突き当たる光子により横切られなければならない層の数を低減する。
【００７９】
本発明による測距システムは、特許文献３による三角測量ベースのシステムと統合され得る。小型化が目標とされるならば、三角測量ベースのシステムは、そのプロジェクタとその検出器との間の相対的に小さい距離を最終的には有することになり、かくして、そのことによって、そのシステムは、低減された動作レンジを伴うままになる。しかしながら、その組み合わせがその利益を提示するのは、まさに短いレンジでのことであり、なぜならば、三角測量ベースのシステムは、飛行時間ベースのシステムが十分に正確に動作することができない距離をカバーすることができるからである。
【００８０】
測距プロセス全体は、経時的に、検出される１つ又は複数の物体までの距離を監視するように、反復して繰り返され得る。かくして、この方法の結果は、先進的な運転者支援システム、アクティブ・サスペンションを伴う車両、又は自律車両等の、検出される物体までの距離に関する情報を、連続性を基にして要するプロセスで使用され得る。
【００８１】
説明されるようなシステムのすべての要素が最適に動作するために、システムは、熱的に安定でなければならない。熱安定性は、中でも、光学要素の所望されない波長シフト（熱ドリフト）を回避するものであり、そうでなければ、それらの波長シフトは、光学チェーンの光学フィルタ及び他の要素の適正な機能することを損なうことになる。本発明によるシステムの実施例は、それらの実施例の設計により、又は、ＰＩＤ型コントローラによる温度制御ループの手段による能動的調節により、熱安定性を達成する。
【００８２】
特許文献３は、検出区間の間にピクセルに達する周囲光の量を最小化し、かくして、パターン化されたレーザ・スポットの検出の正確度を改善するための様々な技法を開示している。これらの技法は、ＬＩＤＡＲシステムの背景状況では開示されていなかったが、本発明の発明者らは、色々なそのような技法が、本発明の実施例と組み合わされるときに、優れた結果を生むということを見出した。このことは、特に、検出器での狭いバンドパス・フィルタの使用、及び、フィルタ上への反射される光のほとんど垂直な入射を確実にするための妥当な光学配置の使用について真である。これらの配置の、それらが特許文献３で現れる際の詳細は、ここに参照により組み込まれている。更なる特徴及び詳細が、本明細書の以降で提供される。
【００８３】
特許文献３から知られている様々な技法は、検出区間の間にピクセルに達する周囲光の量を最小化するために、本発明の実施例に適用され得るが、一定の量の周囲光は回避され得ない。マルチ・ピクセル・システムでは、ピクセルのいくつかのみが、反射されるスポットにより照射されることになり、一方で、他のものは、残留周囲光のみにより照射されることになる。ピクセルの後者グループの信号レベルは、関心のピクセルでの信号への周囲光の寄与を推定するために、及び、それに応じてその寄与を差し引くために使用され得る。追加的又は代替的に、背景光又は周囲光は、ピクセル・レベルで、検出される信号から差し引かれ得る。このことは、１つはレーザ・パルスの到着の間の、及び、１つはパルスの非存在の場合の、２つの露出を要する。
【００８４】
いくつかの実施例では、検出器は、高ダイナミック・レンジ検出器、すなわち、少なくとも９０ｄＢ、好ましくは少なくとも１２０ｄＢのダイナミック・レンジを有する検出器であり得る。高ダイナミック・レンジ・センサ、すなわち、飽和なしで光子の大きい量を獲得する能力があり、一方で、シーンの最も暗い部分での強度レベルの十分な判別を維持するセンサの存在は、そのようなセンサの使用の利点であり、そのことは、非常に長いレンジを有し、それにもかかわらず、飽和を経ることなく、短い距離での（反射される光が相対的に強い）検出物体の能力が変わらずにあるセンサを可能とするものである。本発明者らは、真の高ダイナミック・レンジ・センサの使用が、トーン・マッピングを適用されるセンサの使用より有利であるということを見出した。トーン・マッピングでは、センサ線形レンジが、より高い分解能に向けて圧縮される。文献では、対数圧縮又は多重線形圧縮等の、色々な圧縮方法が文書として記録されている（図４を確認されたい）。しかしながら、この非線形圧縮は、論理又は算術演算を、捕捉されるシーンに関して実行して、起伏情報を抽出する前に、信号の再線形化を必要とする。本発明による解決策は、それゆえに、計算所要量を増大することなく検出正確度を増大する。図５で提示されるような完全に線形の高ダイナミック・レンジ・センサを使用することは、いくつかの実施例の更なる利点である。所望されるダイナミック・レンジ特性を提供する能力がある、ピクセル・アーキテクチャ及び光学検出器は、特許文献８、特に段落６５〜７３及び８８で開示されており、その文献の内容は、当業者が本発明のこの態様を実践することを可能とする目的で、参照により組み込まれている。
【００８５】
本発明の実施例は、高ダイナミック・レンジ・ピクセルを使用する。このピクセルは、電荷リザーバの相当の大きさのフル・ウェル・キャパシティにより、又は、ピクセルあたりの電子ノイズを制限する設計により、又は、電荷転送でノイズを付加しないＣＣＤゲートの使用法により、又は、大きい検出量子効率（ＤＱＥ：ｄｅｔｅｃｔｉｏｎ  ｑｕａｎｔｕｍ  ｅｆｆｉｃｉｅｎｃｙ）（例えば、前面照射に対しては５０％、又は、裏面薄化としても知られている裏面照射の事例では９０％のレンジでの）を伴う設計によって、又は、例えば図６に示されるような（下記を確認されたい）特別な設計により、又は、列挙された改善の任意の組み合わせにより得られ得る。更にまた、ダイナミック・レンジは、オーバーフロー・キャパシティをピクセルに、そのピクセルの前側での上重ねで追加することにより更に拡大され得る（この実装形態は、裏面薄化を要する）。好ましくは、ピクセル設計は、アンチ・ブルーミング機構を実装する。
【００８６】
図６は、高ダイナミック・レンジを伴うピクセルの有利な実現形態の概略的な例解を提示する。この図での実例は、フローティング・ディフュージョンに接続される、２つの貯蔵ゲート７、８を使う。露出の後、シーン及びレーザ・パルスにより生成される電子が、転送ゲート１１を使用して、フローティング・ディフュージョン上に転送される。Ｖｇａｔｅ１及びＶｇａｔｅ２の両方のゲート電圧が、ハイにセットされる。電荷は、次いで、両方のコンデンサにわたって散らされ、有意なフル・ウェルを現実化する。このハイのフル・ウェル・データが、増幅器への接続を介して読み出されると、電圧Ｖｇａｔｅ２はローにセットされる。電子は、コンデンサ７に向けて再び流れ、総合的なピクセル・ゲインを増大する。データは、増幅器によって読み出され得る。追ってロー電圧をＶｇａｔｅ１上に印加することにより、いっそう高いゲインを達成することがさらに可能である。電子は、フローティング・ディフュージョン２に向けて再び流れる。
【００８７】
図７は、ＣＭＯＳ技術で使用されることになる、考案されるピクセルの可能なデュアル・ウェル又はデュアル・ビン実現形態を表す。突き当たり信号は、２つの電荷貯蔵域にわたって分散される。各々のリザーバは、レーザ源のパルスと同期させられる外部パルスにより制御される別々の転送ゲートを有する。
【００８８】
図６及び図７の設計で示される電荷貯蔵要素は、本発明の実施例での電荷貯蔵域のカスケードを得るために複製され得る。
【００８９】
図８〜１０は、本発明の実施例で使用され得るカメラを例解するものであり、それらの実施例では、光放射源が単色光を放出し、少なくとも１つの検出器が、対応する狭いバンドパス・フィルタと、前記狭いバンドパス・フィルタ上への入射の角度を修正して、入射の前記角度を前記狭いバンドパス・フィルタの主たる表面の法線の周りのあらかじめ決定されたレンジに限定するように配置構成される光学機器とを備え付けられ、前記光学機器は、像空間テレセントリック・レンズを備える。用語「カメラ」は、本明細書では、センサと、関連付けられる光学機器（レンズ、レンズ・アレイ、フィルタ）との組み合わせとして使用される。特に、図９では、光学機器は、像空間テレセントリック・レンズと、少なくとも１つの検出器との間に配置構成されるミニレンズ・アレイをさらに備え、そのことによって、ミニレンズ・アレイの個々のミニレンズは、入射光を、少なくとも１つの検出器の個々のピクセルの、それぞれの光センシティブ区域上に集束させる。下方に在るセンサの曲線因子に起因する損失が、すべての入射光をピクセルの光センシティブの一部分に光学的に導くことにより低減され得るということが、このピクセルあたり１つのミニレンズの配置構成の利点である。
【００９０】
これらの実例は、すべて、フィルタ媒体を通って実質的に等しい長さを進行する放射を結果的に生じさせるものであり、又は、そのことにおいて換言すれば、入射放射は、フィルタ表面に実質的に直交し、すなわち、その入射放射は、フィルタ表面の法線の周りのあらかじめ決定されたレンジの中の入射の角度に限定され、かくして、そのことは、スポットが昼光を凌ぐように、狭い帯域幅の中の正確なフィルタリングにおいて、例えば、昼光、日光をフィルタリングすることを可能とする。
【００９１】
入射の角度の補正は、本発明の実施例で特に重要なものであり、それらの実施例では、車両の周りの空間全体が、制限される数のセンサ、用例として８つのセンサによって監視されることになり、そのことによって、入射光線は、例えば１×１ｒａｄの立体角にわたって拡張し得る。図８は、このタイプの第１の光学配置構成を概略的に例解する。その光学配置構成は、像空間テレセントリック構成での、近似的に同じ焦点距離ｆを伴う、第１のレンズ１０３０と、第２のレンズ１０４０とを備える。そのことは、すべての主光線（開口絞りの中心を通過する光線）が像平面の法線方向であるということを意味する。０．１６の例示的な開口数は、９．３°の円錐角（半分の円錐角）に対応する。レンズ・システム１０３０〜１０４０とセンサ１０２との間に配置構成される狭いバンドパス・フィルタ１０６０上の最大入射角度は、かくして９．３°であることになる。
【００９２】
図９で例解されるように、好まれる設計は、像空間テレセントリック構成（構成は、任意選択で、さらには、物体空間テレセントリックである）での、近似的に同じ焦点距離ｆを伴う、２つのレンズ１１３０、１１４０のタンデムと、ミニレンズ・アレイ１１５０の平面状積層体と、スペクトル・フィルタ１１６０と、ＣＭＯＳ検出器１０２とからなる。第１のレンズ１１３０の中心Ｏは、第２のレンズ１１４０のフォーカスにあるので、Ｏを横切るあらゆる光線は、第２のレンズ１１４０により、光学軸に平行な方向に屈折させられることになる。今から、第１のレンズ１１３０の焦点距離と比較して非常に大きい距離に場所決めされる個別のレーザ・スポットＳ  １１１０を検討する。かくして、第１のレンズ１１３０によるこのスポット１１１０の像は、このレンズの焦点面の近傍に、かくして、厳密には、第２のレンズ１１４０の中央平面内に場所決めされる点Ｐである。スポットＳ  １１１０から放出され、第１のレンズ１１３０により捕捉される光の光線は、第２のレンズ１１４０内の点Ｐに向けて収束する光円錐を形成する。この光円錐の中心軸は、点Ｏを横切り、光学軸に平行に、及びかくして、最適なスペクトル感度を達成するように、スペクトル・フィルタ１１６０に垂直に屈折させられる。ゆえに、第２のレンズ１１４０は、入射光ビームの角度に対する補正するレンズとして働く。円錐の他の光線は、さらには、第２のレンズ１１４０の背後の小さい凸面ミニレンズ１１５０を使用することを、点Ｐがミニレンズ１１５０の焦点に場所決めされるような手立てで行うことにより、光学軸に平行な光線のバンドルに曲げられ得る。この手立てで、スポットＳ  １１１０のすべてのイメージング光線は、スペクトル・フィルタにほとんど垂直な方向に曲げられる。このことは、そこで、ＣＭＯＳ検出器のあらゆるピクセルの前部で別々に、あらゆるピクセルの前部に布置されるミニレンズのアレイを使用することにより行われ得る。この構成では、ミニレンズは、像テレセントリック機能を有する。主たる利点は、第１のレンズ１０３０の瞳が拡大されること、又は、開口部が不要にされることが、ミニレンズ１１５０での局所補正光学機器により、球面収差の増大に対して補整しながら行われ得るということである。この手立てで、センサ組立体の感度が改善され得る。第２のミニレンズ・アレイ（図１１では示されない）が、曲線因子を最大化するように、平行な光線をピクセルのフォトダイオードに戻るように集束させるために、スペクトル・フィルタ１１６０とＣＭＯＳピクセル１０２との間に追加され得る。
【００９３】
第１及び第２のレンズ１１３０、１１４０については、市販で入手可能なレンズが使用され得る。当業者は、同等の品質の、典型的には他のスマート・フォン・カメラ又はウェブカメラで使用されるレンズが、さらには使用され得るということを察知するであろう。前に述べられたｉＳｉｇｈｔカメラは、８メガピクセルを伴う６×３ｍｍＣＭＯＳセンサ、１．５μｍピクセル・サイズ、ｆ／２．２の非常に大きい開口部、約ｆ＝７ｍｍの対物焦点距離、及び、瞳直径約３．２ｍｍを有する。視角は、１ｒａｄ×１ｒａｄのオーダのものである。カメラの分解能がおおよそピクセル・サイズ（１．５ミクロン）であるということを想定するならば、レンズの収差は、開口部により選択される視角のすべての光線に対して補正されるということを（アッベの法則から）結論付けることができる。
【００９４】
図１０は、単一のリソグラフィ・プロセスで製造するために最適化される、図１１の配置構成の変形形態を例解する。第１のレンズ１２３０は、先の実施例の第１のレンズ１１３０と同様であるが、角度補正する第２のレンズ１１４０は、同じ焦点距離ｆを伴うフレネル・レンズ１２４０により、及び、ミニレンズ・アレイ１１５０は、フレネル・レンズ・アレイ１２５０により置換される。利点は、それらのフレネル・レンズ１２４０及びフレネル・レンズ・アレイ１２５０が、全く平坦であり、ナノ・エレクトロニクス技術により（離散位相ゾーンを伴って）生み出され得るということである。第２のミニレンズ・アレイ１２７０が、曲線因子を最大化するように、平行な光線をピクセルのフォトダイオードに戻るように集束させるために、スペクトル・フィルタ１２６０とＣＭＯＳピクセル１０２との間に追加され得る。かくして、カメラは、本質的には、ｉＳｉｇｈｔのような標準的なカメラであるが、そのカメラでは、ＣＭＯＳセンサは、特別に設計された多層センサにより置換され、その多層センサでは、すべての構成要素が、同じリソグラフィ・プロセスの中で、１つの統合されたブロックで生み出される。この多層センサは、大量生産において安価であり、コンパクトであり、健全であり、その多層センサは、位置合わせされることを必要としない。これらの５つの層１２４０、１２５０、１２６０、１２７０、１０２の各々は、それ自体の、本発明により課される要件を満たすための機能を有する。
【００９５】
直径ｄのレンズにより生成される円錐の最小限の角度は、λを光の波長として、λ／ｄのオーダのものであるので、最小限の円錐角は、ミニレンズ直径ｄ＝８．５μｍ及びλ＝８５０ｎｍに対して１／１０ラジアンである。良好な品質のスペクトル干渉フィルタを伴うと、このことは、約３ｎｍのスペクトル・ウィンドウに対応する。
【００９６】
図８〜１０の配置構成では、光学機器の特性は、非平面状の焦点面を結果的に生じさせることになる。この効果を補整するために、検出器のピクチャ要素は、光学機器の焦点面をなぞる湾曲を有する基板上に配置構成され得る。結果として、反射させられる、及びフィルタリングされるスポットは、どこでそれらのスポットが検出器に達するかに関係なく、合焦していることになる。検出器の基板の所望される湾曲は、フレックス・チップ技術を使用することにより、又は、異なって向きを設定されるタイルを組み合わせることにより基板を成り立たせることにより得られ得る。この解決策は、図１１で概略的に例解され、その図１１は、狭いバンドパス・フィルタ１３６０が後に続く、テレセントリック光学機器１３３０と、湾曲させられたピクセル層１０２とを示し、そのピクセル層１０２の湾曲は、テレセントリック光学機器１３３０の焦点面の形状をなぞるように適応させられる。
【００９７】
異なる経路をたどる光の光線が、すべて、同じ（垂直の）角度のもとで狭いバンドパス・フィルタを通過するということを確実にするような手立てで、光学機器を配置構成することが可能でない（又は、望ましくない）とき、入射の異なる角度によって異なるフィルタ特性を有することの問題は、源で解決され得る。特に、ＶＣＳＥＬアレイは、異なるスポットが、異なるそれぞれの波長を有するように構成され得る。この構成は、タイリングされたレーザ・アレイを使用することにより、又は、ＶＣＳＥＬアレイ内の個々のＶＣＳＥＬの波長を変調するための手段を設けることにより得られ得る。この解決策は、図１２で概略的に例解され、その図１２は、光学機器１４３０の前に配置構成される狭いバンドパス・フィルタ１４６０と、センサ・アレイ１０２とを示す。明確性の目的で、及び、一般性を失うことなく、異なるそれぞれの波長（λ１、λ２）を伴う、入射の２つの異なる角度が、図上で指示されている。光源の異なる波長（λ１、λ２）は、入射のそれらの波長のそれぞれの角度のもとでの、狭いバンドパス・フィルタの通過帯域の最大に対応するように選定される。
【００９８】
図１３は、ドーム１５１０（例えば、曲げられたガラス板）を備える代替的光学配置構成を例解し、狭いバンドパス・フィルタ１５２０が、そのドーム１５１０の内側（例解されるように）、又は外側（例解されない）に面して配設される。フィルタ１５２０をドーム１５１０の内側に面して配設することの利点は、ドーム１５１０が、フィルタ１５２０を外側の力から保護するということである。ドーム１５１０及びフィルタ１５２０は、光学的に協働して、入射光が、実質的にドームの表面の法線方向である方向に沿ってフィルタ１５２０を通過するということを確実にする。魚眼光学機器１５３０が、ドーム−フィルタ組立体と、ＣＭＯＳ、又はＣＣＤセンサ、又はＳＰＡＤアレイであり得るセンサ１０２との間に設けられる。魚眼光学機器１５３０は、ドーム−フィルタ組立体を通過した光を、センサのセンシティブ区域に向けて導くように配置構成される。
【００９９】
任意選択で、さらなる魚眼光学機器が、プロジェクタで設けられる。特定の実施例では、複数のＶＣＳＥＬは、レーザ・ビームの出口角度が、高さにおいてｍ×１ｒａｄ、及び、幅においてｎ×１ｒａｄの空間的角度にわたって現実化され得る、１×ｎ又はｍ×ｎ構成で搭載される。
【０１００】
本発明のいくつかの実施例では、スポットの強度は、検出器で、段階的又は可変減衰フィルタを適用することにより、フル深度レンジにわたって実質的に一定に保たれ得る。代替的に、又は加えて、さらには、非対称レンズ瞳が、検出器のより近傍のスポットの強度を弱めるために設けられ得るものであり、一方で、検出器からより遠く離れたスポットの強度は、フル強度で受け取られる。この手立てで、検出器のクリッピングが回避され、平均強度が、すべてのスポットに対して実質的に同じにされ得る。
【０１０１】
いくつかの実施例では、放射源は、レーザ・オン時間が、異なるゾーンに対して制御される、異なるゾーンに分けられ得るＶＣＳＥＬであり得る。スポットの画像は、かくして、一定の強度、例えば、Ａ／Ｄレンジの２／３を有するように制御され得る。代替的に、駆動電圧は、やはり一定の強度を得るために、高さの関数として、スポットのアレイにわたって駆動され得る。そのような制御することは、飽和回避サーボイング（ｓｅｒｖｏｉｎｇ）ループと呼称され得る。アレイの中の異なるＶＣＳＥＬは、パターンでの個々のＶＣＳＥＬの強度を、投射される間に同時に変動させて、強度に対して個々に制御され得る。
【０１０２】
本発明のいくつかの他の実施例では、マイクロ・プリズム・マトリクスが、狭い帯域幅フィルタの前部で使用され得るものであり、そのことによって、放射は、フィルタ上に、＋９°から−９°の間の入射の角度の中で入射する。このことは、狭い帯域幅フィルタリングを得ることを可能とする。プリズム・マトリクスは、例えば、プラスチック成形により作製され得る。
【０１０３】
本発明の実施例では、例えば、アクティブ・サスペンション車両用途が考案される場合、スポット・パターンの投射は、有利には、下向きに、すなわち、道路に向けて方向設定される。
【０１０４】
本発明によるシステムは、専用ハードウェア（例えば、ＡＳＩＣ）、構成可能ハードウェア（例えば、ＦＰＧＡ）、プログラマブル構成要素（例えば、適切なソフトウェアを伴うＤＳＰ又は汎用プロセッサ）、又は、これらの任意の組み合わせにおける、上記で説明された方法のステップの実装形態を含み得る。同じ構成要素は、他の機能も含み得る。本発明は、上記で説明された方法のステップを実装するコード手段を含むコンピュータ・プログラム製品にも関し、この製品は、光学、磁気、又はソリッド・ステート担体等のコンピュータ可読媒体上で提供され得る。
【０１０５】
本発明は、上記で説明されたシステムを備える車両にも関する。
【０１０６】
本発明の実施例は、有利には、制限なしに、自動車用途、工業用途、ゲーミング用途、及び同類のものを含む、多種多様の用途で使用され得るものであり、このことは、屋内及び屋外の両方で、短又は長レンジでのものである。いくつかの用途では、本発明の実施例による異なるセンサが、好ましくは全円（３６０°視界）にわたるパノラマのカバレッジを生み出すために、組み合わされる（例えば、デイジー・チェーン接続される）ことがある。
【０１０７】
本発明は、別々のシステム及び方法実施例を参照して、上記で説明されたが、これは、明確化する目的でのみ行われたものである。当業者は、システム又は方法に関連して説明された特徴が単体で、同じ技術的効果及び利点を伴って、方法又はシステムにそれぞれ適用されることも可能であることを認識するであろう。更に、本発明の範囲は、これらの実施例に制限されず、添付の特許請求の範囲により定義される。
【図１】
2019529958.tif 000007
【図２】
2019529958.tif 000008
【図３ａ】
2019529958.tif 000009
【図３ｂ】
2019529958.tif 000010
【図３ｃ】
2019529958.tif 000011
【図３ｄ】
2019529958.tif 000012
【図４】
2019529958.tif 000013
【図５】
2019529958.tif 000014
【図６】
2019529958.tif 000015
【図７】
2019529958.tif 000016
【図８】
2019529958.tif 000017
【図９】
2019529958.tif 000018
【図１０】
2019529958.tif 000019
【図１１】
2019529958.tif 000020
【図１２】
2019529958.tif 000021
【図１３】
2019529958.tif 000022
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
物体までの距離を決定するためのシステム（２００）であって、
−  パルスのシーケンスで前記物体に向けてレーザ光の離散スポットのパターンを投射するために配置構成されるソリッド・ステート光源（２１０）と、
−  複数のピクチャ要素を備える検出器（２２０）であって、パルスの前記シーケンスと同期して、前記物体により反射させられるような離散スポットの前記パターンを表す光を検出するように構成される、検出器（２２０）と、
−  前記パルスのシーケンスにレンジ・ゲーティングを適用することによって、パルス放出ウィンドウと反射されるパルスの到着との間の時間的重なりの量に基づいて、前記検出される光に応答して前記ピクチャ要素により生成される露出値の関数として、前記物体までの前記距離を算出するように構成される処理手段（２４０）と
を備え、
前記ピクチャ要素（２２０）は、前記シーケンスの前記パルスのすべてに対して、パルス放出時間ウィンドウと重なる第１のあらかじめ決定された時間ウィンドウ（１０）の間の、前記物体により反射させられる光の第１の量を表すものである第１の量の電荷と、第２のあらかじめ決定された時間ウィンドウ（２０）の間の、前記物体により反射させられる光の第２の量を表すものである第２の電荷とを蓄積することにより、前記露出値を生成するように構成され、前記第２のあらかじめ決定された時間ウィンドウ（２０）は、前記第１のあらかじめ決定された時間ウィンドウ（１０）の後に生起し、
前記システムは、パルスの、少なくとも２つの連続したシーケンスに対して、前記投射及び、前記検出を実行するように構成され、前記シーケンスの各々は、前記第１のあらかじめ決定された時間ウィンドウ、及び、前記第２のあらかじめ決定された時間ウィンドウの異なる持続時間で動作させられる、システム（２００）。
【請求項２】
前記複数のピクチャ要素の各々は、電荷貯蔵ウェルの少なくとも２つのセットを備え、光の前記第１の量の前記検出及び光の前記第２の量の前記検出は、電荷貯蔵ウェルの前記少なくとも２つのセットのうちのそれぞれのもので行われ、
電荷貯蔵ウェルの前記セットの各々は、カスケードとして構成される、請求項１に記載のシステム。
【請求項３】
電荷貯蔵ウェルの前記セットの各々は、直列に配置構成されるカスケードとして構成される、請求項２に記載のシステム。
【請求項４】
電荷貯蔵ウェルの前記セットの各々は、並列に配置構成されるカスケードとして構成される、請求項２に記載のシステム。
【請求項５】
パルスの、前記少なくとも２つの連続したシーケンスの各々に対して、前記第１のあらかじめ決定された時間ウィンドウ、及び、前記第２のあらかじめ決定された時間ウィンドウは、実質的に等しい持続時間のものであり、続け様に生起し、光の前記第１の量を検出するように構成される前記ピクチャ要素の総合的な貯蔵キャパシティは、光の前記第２の量を検出するように構成される前記ピクチャ要素の総合的な貯蔵キャパシティより大きい、請求項１から４までのいずれか一項に記載のシステム。
【請求項６】
車両であって、前記車両を包囲する区域の少なくとも一部を動作可能にカバーするように配置構成される、請求項１から５までのいずれか一項に記載のシステム（１００）を備える、車両。
【請求項７】
請求項１から５までのいずれか一項に記載のシステム（１００）を備えるカメラであって、前記システム（１００）は、前記システムから得られる情報に基づいて、前記カメラの画像に３Ｄ情報を追加して、３Ｄ画像を創出することを可能にするように適合される、カメラ。
【請求項８】
物体までの距離を決定するための方法であって、
−  ソリッド・ステート光源（２１０）を使用して、パルスのシーケンスで前記物体に向けてレーザ光のスポットのパターンを投射するステップ（１１０）と、
−  複数のピクチャ要素を備える検出器（２２０）を使用して、パルスの前記シーケンスと同期して、前記物体により反射させられるようなスポットの前記パターンを表す光を検出するステップ（１２０；１３０）と、
−  前記パルスのシーケンスにレンジ・ゲーティングを適用することによって、パルス放出ウィンドウと反射されるパルスの到着との間の時間的重なりの量に基づいて、前記検出される光に応答して前記ピクセルにより生成される露出値の関数として、前記物体までの前記距離を算出するステップ（１４０）と
を含み、
前記ピクチャ要素（２２０）は、前記シーケンスの各々のパルスに対して、パルス放出時間ウィンドウと重なる第１のあらかじめ決定された時間ウィンドウ（１０）の間の、前記物体により反射させられる光の第１の量を表すものである第１の量の電荷と、第２のあらかじめ決定された時間ウィンドウ（２０）の間の、前記物体により反射させられる光の第２の量を表すものである第２の量の電荷とを蓄積することにより、前記露出値を生成し、前記第２のあらかじめ決定された時間ウィンドウ（２０）は、前記第１のあらかじめ決定された時間ウィンドウ（１０）の後に生起し、
前記投射するステップ（１１０）、及び、前記検出するステップ（１２０；１３０）は、パルスの、少なくとも２つの連続したシーケンスに対して繰り返され、前記シーケンスの各々は、前記第１のあらかじめ決定された時間ウィンドウ、及び、前記第２のあらかじめ決定された時間ウィンドウの異なる持続時間で動作させられる、方法。
【請求項９】
パルスの、前記少なくとも２つの連続したシーケンスの各々に対して、前記第１のあらかじめ決定された時間ウィンドウ、及び、前記第２のあらかじめ決定された時間ウィンドウは、実質的に等しい持続時間のものであり、続け様に生起する、請求項８に記載の方法。
【請求項１０】
前記複数のピクチャ要素の各々は、少なくとも２つの電荷貯蔵ウェルを備え、光の前記第１の量の前記検出するステップ、及び、光の前記第２の量の前記検出するステップは、前記少なくとも２つの電荷貯蔵ウェルのうちのそれぞれのもので行われる、請求項８又は９に記載の方法。
【請求項１１】
プロセッサが請求項８から１０までのいずれか一項に記載の方法を遂行することを引き起こすように構成されるコード手段を含むコンピュータ・プログラム製品。
【国際調査報告】
2019529958.tif 000023
2019529958.tif 000024
2019529958.tif 000025